(57)【要約】      （修正有）【課題】グロメットの状態を適切に維持できることができるグロメット保護部材を提供する。【解決手段】グロメット保護部材２００は、グロメットを有し被取付体に取付けることができるグロメットアセンブリ１００に、着脱可能に取り付けられ、グロメットアセンブリから突出する係止用突起１９４，１９６を挿入可能に設けられた係止用孔壁部２４０，２４６を備え、グロメットは変形可能な材料で構成され、係止用孔壁部に係止用突起が挿入されたときグロメットの一部を覆うことで保護する形状を有する。【選択図】図９
2015107016.tif 000002
【特許請求の範囲】
【請求項１】
グロメットを有し被取付体に取付けることができるグロメットアセンブリに、着脱可能に取り付けられるグロメット保護部材であって、
グロメットアセンブリから突出する係止用突起を挿入可能に設けられた係止用孔壁部を備えるグロメット保護部材。
【請求項２】
前記グロメットは変形可能な材料によって構成され、
前記係止用孔壁部に前記係止用突起が挿入されたときに少なくともグロメットの一部分を覆うことで前記グロメットの一部分を保護する請求項１に記載のグロメット保護部材。
【請求項３】
前記係止用突起は、互いに大きさが異なる少なくとも２つの突起体を含み、
前記係止用孔壁部は、各々が前記少なくとも２つの突起体の大きさに応じて形成された少なくとも２つの孔部を含む請求項１又は２に記載のグロメット保護部材。
【請求項４】
前記係止用突起は、少なくとも一部が前記グロメットに被覆されるインナーの端部に形成されている請求項１ないし３のいずれかに記載のグロメット保護部材。
【請求項５】
グロメットを有し被取付体に取付けることができるグロメットアセンブリであって、
着脱可能に取り付けられるグロメット保護部材に対して突出する係止用突起であって、前記グロメット保護部材に形成された係止用孔壁部に挿入可能な係止用突起を備えるグロメットアセンブリ。
【請求項６】
グロメットを有し被取付体に取付けることができるグロメットアセンブリと、
前記グロメットアセンブリに、着脱可能に取り付けられるグロメット保護部材と、を備え、
前記グロメットアセンブリは、突出する係止用突起を有し、
前記グロメット保護部材は、前記係止用突起を挿入可能に設けられた係止用孔壁部を有するグロメット保護部材の取り付け構造体。
【発明の詳細な説明】
【技術分野】
【０００１】
本発明は、自動車等の車両の部品であるグロメットアセンブリ、及びグロメットアセンブリを保護するグロメット保護部材、並びに、グロメットアセンブリとグロメット保護部材との取り付け構造体に関する。
【背景技術】
【０００２】
自動車等の車両のドア用のワイヤハーネスは、一般的に、グロメットを介して車両からドアに引き出されてドアに配設される。グロメットは、車両とドアとの間に設けられる。このため、グロメットは、ドアの開閉に応じて変形してワイヤハーネスを案内できるようにする必要がある。また、グロメットは、車両とドアとの間に設けられるために、雨や結露などの液体によってワイヤに悪影響を及ぼさないようにする必要もある。このように、グロメットには、ワイヤハーネスを的確に案内するとともに保護する機能が求められている。
【０００３】
このため、従来から、グロメットは、ゴム等の弾性材料より形成される。さらに、グロメットの内部の一部には、必要に応じて金属板などのインナーが一体的に成形される。インナーを設けることによってグロメットの外形を画定しグロメットをドアパネル等に容易に取り付けることができる。なお、グロメットにインナーを一体的に成形することによって、全体としてグロメットアセンブリが構成される。
【０００４】
グロメットがドアパネル等に取り付けられたときには、グロメットの弾性変形により、グロメットの外周部がドアパネルと密着して、雨など液体がドアの内部に侵入しないようにできる。
【０００５】
さらに、グロメットがドアパネルに取り付けられる面には、突条の止水リップが形成されている。止水リップもゴム等で形成されているので、グロメットをドアパネルに取り付けたときには、止水リップはドアパネルの形状に応じて変形することができる。この止水リップの変形により、止水リップをドアパネルに密着させることができ、雨水などの液体がドアの内部に侵入しないようにできる。
【０００６】
しかしながら、グロメットの取り扱いによってはグロメットの外周部や止水リップに変形や損傷が発生する場合がある。たとえば、グロメットに加えられる力の大きさや種類によっては、グロメットに圧縮永久ひずみ（残留ひずみ）が生ずることも想定される。具体的には、グロメットが露出した状態のまま、搬送された場合には、搬送時の衝撃や振動によって、グロメットの外周部や止水リップが変形したり損傷したりする場合が想定される。また、グロメット同士が重なった状態である程度の期間で保管された場合には、互いに加えあう力によって、グロメットの外周部や止水リップが徐々に変形したり損傷したりする場合も想定される。
【０００７】
さらに、グロメットにワイヤハーネスが取り付けられた状態で搬送されたり保管されたりするので、ワイヤハーネスの荷重によりグロメットに加えられる力はさらに大きくなることが想定される。
【０００８】
このように、グロメットの外周部や止水リップが弾性変形できる範囲を超えて変形した場合には、ドアパネルと十分に密着することができず、グロメットの外周部や止水リップとドアパネルとの間に間隙が形成されてしまう場合も想定される（たとえば、特許文献１及び特許文献２参照）。
【先行技術文献】
【特許文献】
【０００９】
【特許文献１】特開２００１−３３３５２２号公報
【特許文献２】特開２０００−１２３６６６号公報
【発明の概要】
【発明が解決しようとする課題】
【００１０】
本発明は、上述の点に鑑みてなされたものであり、その目的とするところは、グロメットの状態を適切に維持できるグロメットアセンブリ及びグロメットアセンブリ保護部品を提供することにある。
【課題を解決するための手段】
【００１１】
本発明によるグロメット保護部材の実施態様は、
グロメットを有し被取付体に取付けることができるグロメットアセンブリに、着脱可能に取り付けられるグロメット保護部材であって、
グロメットアセンブリから突出する係止用突起を挿入可能に設けられた係止用孔壁部を備える。
【００１２】
グロメットアセンブリの係止用突起とグロメット保護部材の係止用孔壁部とによって、グロメット保護部材によってグロメットアセンブリを保護しグロメットの状態を適切に維持できる。
【００１３】
本発明によるグロメットアセンブリの実施態様は、
グロメットを有し被取付体に取付けることができるグロメットアセンブリであって、
着脱可能に取り付けられるグロメット保護部材に対して突出する係止用突起であって、前記グロメット保護部材に形成された係止用孔壁部に挿入可能な係止用突起を備える。
【００１４】
グロメットアセンブリの係止用突起とグロメット保護部材の係止用孔壁部とによって、グロメット保護部材によってグロメットアセンブリを保護しグロメットの状態を適切に維持できる。
【００１５】
本発明によるグロメット保護部材の取り付け構造体の実施態様は、
グロメットを有し被取付体に取付けることができるグロメットアセンブリと、
前記グロメットアセンブリに、着脱可能に取り付けられるグロメット保護部材と、を備え、
前記グロメットアセンブリは、突出する係止用突起を有し、
前記グロメット保護部材は、前記係止用突起を挿入可能に設けられた係止用孔壁部を有する。
【００１６】
グロメットアセンブリの係止用突起とグロメット保護部材の係止用孔壁部とによって、グロメット保護部材によってグロメットアセンブリを保護しグロメットの状態を適切に維持できる。
【発明の効果】
【００１７】
グロメットの状態を適切に維持することができる。
【図面の簡単な説明】
【００１８】
【図１】自動車等の車両のドア用のワイヤハーネスの取り付け構造を説明する斜視図である。
【図２】グロメットアセンブリの表側を示す斜視図である。
【図３】グロメットアセンブリの裏側を示す斜視図である。
【図４】樹脂インナーの裏側を示す斜視図である。
【図５】樹脂インナーの表側を示す斜視図である。
【図６】グロメット保護部材の内側を示す正面図である。
【図７】グロメット保護部材の外側を示す背面図である。
【図８】グロメットアセンブリをグロメット保護部材に取り付けた内側の状態を示す斜視図である。
【図９】グロメットアセンブリをグロメット保護部材に取り付けた外側の状態を示す斜視図である。
【図１０】グロメットアセンブリをグロメット保護部材に取り付ける作業の過程を示す斜視図である。
【図１１】グロメット保護部材を折りたたむ過程を示す斜視図である。
【図１２】グロメットアセンブリがグロメット保護部材に収容された状態を示す斜視図である。
【図１３】カラーを示す斜視図である。
【図１４】他の貫通孔の例を示す図である。
【発明を実施するための形態】
【００１９】
＜＜＜グロメットアセンブリ１００及びグロメット保護部材２００の概略＞＞＞
本実施の形態によるグロメット保護部材２００は、
グロメット１１０を有し被取付体（たとえば、ドアパネルＰなど）に取付けることができるグロメットアセンブリ１００に、着脱可能に取り付けられるグロメット保護部材２００であって、
グロメットアセンブリ１００から突出する係止用突起（たとえば、第１の突起１９４及び第２の突起１９６など）を挿入可能に設けられた係止用孔壁部（たとえば、係止孔２４０、２４２、２４４、２４６など）を備える。
【００２０】
グロメットアセンブリ１００から突出する係止用突起は、グロメット保護部材２００に形成された係止用孔壁部に挿入可能である。係止用突起を係止用孔壁部に挿入することで、グロメット保護部材２００によってグロメットアセンブリ１００の状態を適切に維持できる。
【００２１】
本実施の形態によるグロメット保護部材２００は、さらに、
前記グロメット１１０は変形可能な材料（たとえば、ゴムなどの弾性変形可能な材料など）によって構成され、
前記係止用孔壁部に前記係止用突起が挿入されたときに少なくともグロメット１１０の一部分（たとえば、グロメット基部１３０の裏面１３４や、第１の止水リップ１４２や、第２の止水リップ１４４など）を覆うことで前記グロメット１１０の一部分を保護する。
【００２２】
グロメット保護部材２００は、少なくともグロメット１１０の一部分を覆うことによって保護するので、グロメット保護部材２００に衝撃や振動が加えられても、変形可能な材料で形成されているグロメット１１０が外部の部材やグロメット保護部材２００と接触することを未然に防止し、グロメット１１０が不適切に変形することを防止でき、グロメットアセンブリ１００の状態を適切に維持できる。
【００２３】
本実施の形態によるグロメット保護部材２００は、さらに、
前記係止用突起は、互いに大きさが異なる少なくとも２つの突起体を含み、
前記係止用孔壁部は、各々が前記少なくとも２つの突起体の大きさに応じて形成された少なくとも２つの孔部を含む。
【００２４】
少なくとも２つの孔部の各々には、その大きさに応じた突起体のみを挿入することができるので、グロメットアセンブリ１００をグロメット保護部材２００に容易に位置決めすることができる。また、複数種類のグロメットアセンブリ１００が存在する場合でも、適切なグロメットアセンブリ１００のみをグロメット保護部材２００に取り付けることができる。
【００２５】
本実施の形態によるグロメット保護部材２００は、さらに、
前記係止用突起は、少なくとも一部が前記グロメットに被覆されるインナーの端部に形成されている。
【００２６】
被取付体（たとえば、ドアパネルＰなど）と干渉しない位置に係止用突起を設けることができ、グロメットアセンブリの設計変更の影響を受けにくいグロメット保護部材２００を提供でき、グロメット保護部材２００の汎用性を高めることができる。
【００２７】
本実施の形態によるグロメットアセンブリは、
グロメットを有し被取付体に取付けることができるグロメットアセンブリであって、
着脱可能に取り付けられるグロメット保護部材に対して突出する係止用突起であって、前記グロメット保護部材に形成された係止用孔壁部に挿入可能な係止用突起を備えるグロメットアセンブリ。
【００２８】
グロメットアセンブリ１００から突出する係止用突起は、グロメット保護部材２００に形成された係止用孔壁部に挿入可能である。係止用突起を係止用孔壁部に挿入することで、グロメットアセンブリ１００の状態を適切に維持できる。
【００２９】
本実施の形態によるグロメット保護部材の取り付け構造体は、
グロメットを有し被取付体に取付けることができるグロメットアセンブリと、
前記グロメットアセンブリに、着脱可能に取り付けられるグロメット保護部材と、を備え、
前記グロメットアセンブリは、突出する係止用突起を有し、
前記グロメット保護部材は、前記係止用突起を挿入可能に設けられた係止用孔壁部を有する。
【００３０】
グロメットアセンブリ１００から突出する係止用突起は、グロメット保護部材２００に形成された係止用孔壁部に挿入可能である。係止用突起を係止用孔壁部に挿入することで、グロメットアセンブリ１００の状態を適切に維持できる。
【００３１】
＜＜＜本実施の形態によるグロメットアセンブリ１００及びグロメット保護部材２００＞＞＞
以下に、図１〜図１４を参照して、グロメット保護部材、グロメットアセンブリ及びグロメット保護部材の取り付け構造体の実施の形態について説明する。
【００３２】
図１は、自動車等の車両のドア用のワイヤハーネスの取り付け構造を説明する斜視図である。
【００３３】
一般的に、車両のドアを構成するドアパネルＰの端部は、略Ｌ状に形成されている。ドアパネルＰは、ドア内板部Ｐｌとドア側板部Ｐ２とを有する。ドアパネルＰには、ドア内板部Ｐｌとドア側板部Ｐ２との双方に亘って第１の溝部２０が形成されている。第１の溝部２０には、グロメットアセンブリ１００をドアパネルＰに取付けるための２つの貫通孔２４、２６が形成されている。
【００３４】
第１の溝部２０には、中央に第１の溝部２０よりも深くかつ細く形成された第２の溝部２２が形成されている。第２の溝部２２は、第１の溝部２０の長手方向に沿って形成されている。
【００３５】
グロメットアセンブリ１００は、後述するように、グロメット１１０と樹脂インナー１７０とを有する。グロメットアセンブリ１００がドアパネルＰに取付けられたときには、第２の溝部２２に沿ってワイヤハーネスＷが配置され、グロメット１１０によってドア側板部Ｐ２の第１の溝部２０が覆われる。なお、図１では、ワイヤハーネスＷの概要を想像線として示した。
【００３６】
グロメットアセンブリ１００をドアパネルＰに取付けることで、ワイヤハーネスＷをグロメット１１０を介して車両とドアとの間に亘って設けることができる。グロメット１１０は、ゴム等の変形可能な材料、好ましくは弾性材料より形成されている。ドアには、各種の電装品や各種のセンサが設けられている。ワイヤハーネスＷは、これらの電装品やセンサとの電気的な接続をするための電線を束にした部品である。グロメット１１０を変形可能な材料で構成したことにより、ドアの開閉に応じてグロメット１１０は変形したり変位したりできる。このため、ドアが開閉されたときに、ワイヤハーネスＷがドアと車体との間に挟まったり、ワイヤハーネスＷが牽引されたりすることを防止して、ワイヤハーネスＷによる電気的な接続を維持しつつドアの開閉に応じてワイヤハーネスＷを適切に案内することができる。
【００３７】
さらに、グロメット１１０によって第１の溝部２０を覆って閉塞することにより封止することができる。このため、ドアや車体など伝ってきた液体が第１の溝部２０に侵入することを防止することができる。
【００３８】
グロメットアセンブリ１００がドアパネルＰに取付けられたときには、グロメット基部１３０の外周部１３６を除いて、グロメット基部１３０は第１の溝部２０に収納される。したがって、グロメット基部１３０の表面１３２は、ドア側板部Ｐ２に対しておおよそ面一になる。このようにすることで、ドアが閉じられたときに、グロメット基部１３０がドアや車体と干渉することを防止できる。
【００３９】
ドア内板部Ｐｌの側方には、各種の部材を収納するための収納空間Ｓが形成されている。グロメットアセンブリ１００がドアパネルＰに取付けられたときには、案内板１７４が、ドア内板部Ｐｌの第２の溝部２２に沿うように配置される（図１の矢印Ａ参照）。案内板１７４が収納空間Ｓに配置されたときには、案内板１７４と第２の溝部２２との間に間隙（図示せず）が形成され、形成された間隙にワイヤハーネスＷが配置される。このように、グロメットアセンブリ１００から導出されたワイヤハーネスＷは、案内板１７４と第２の溝部２２とによって案内される。
【００４０】
図１に示すように、排水口１４６が最下端に位置するように、グロメットアセンブリ１００はドアパネルＰに取付けられる。後述するように、液体を下方に移動させて排水口１４６から排出することができる。
【００４１】
＜＜＜グロメットアセンブリ１００＞＞＞
図２は、グロメットアセンブリ１００の表側を示す斜視図で、図３は、グロメットアセンブリ１００の裏側を示す斜視図である。
【００４２】
上述したように、グロメットアセンブリ１００は、車両のドアを構成するドアパネルＰに、ワイヤハーネスＷを案内するために取付けられる。本実施の形態のグロメットアセンブリ１００は、いわゆる貫通レスの方式であり、ドアに貫通孔などを形成することなくワイヤハーネスＷを車両のドアに設けて案内することができる。
【００４３】
グロメットアセンブリ１００は、主に、グロメット１１０と樹脂インナー１７０とカラー４００とによって構成される。グロメット１１０は、ゴム膜などの弾性変形可能な材料を用いることが好ましい。樹脂インナー１７０は、熱可塑性樹脂などの樹脂を用いることが好ましい。カラー４００は、真鍮や鉄などの金属を用いることが好ましい。このように、グロメット１１０、樹脂インナー１７０、カラー４００の順に硬くなる材質や強度が高くなる材質を用いることが好ましい。また、グロメット１１０は、最も柔らかく最も剛性が小さい材質を用いることが好ましい。
【００４４】
＜＜グロメット１１０＞＞
グロメット１１０は、ゴムなどの変形可能な部材、好ましくは弾性変形可能な部材によって構成される。より具体的には、グロメット１１０は、薄膜であるゴム膜によって構成される。グロメット１１０は、ワイヤハーネス案内部１２０とグロメット基部１３０とを含む。後述するように、グロメット基部１３０の内部には樹脂インナー１７０が設けられる。したがって、グロメット基部１３０は、グロメット１１０のゴム膜が樹脂インナー１７０を覆った形態となる。グロメット１１０そのものは、ゴム膜などの変形可能な薄膜によって形成されているので、一定の外形を保ちにくい。樹脂インナー１７０を内部に設けることによってグロメット基部１３０の外形を一定に保つことができる。
【００４５】
＜ワイヤハーネス案内部１２０＞
ワイヤハーネス案内部１２０は、蛇腹状でかつ略筒状の形状を有する。ワイヤハーネス案内部１２０の断面は、略長円状の形状を有する。ワイヤハーネス案内部１２０を長径方向Ｘよりも短径方向Ｙに沿った方向に変形し易くできる。ワイヤハーネス案内部１２０の断面の形状を適宜に定めることによって、ワイヤハーネスＷが変位しやすい方向を制御することができる。
【００４６】
ワイヤハーネス案内部１２０の長手方向に沿って挿通穴１２２が形成されている。挿通穴１１２にはワイヤハーネスＷ（図１参照）が挿通される。上述したように、グロメット１１０は、変形可能な部材からなり、蛇腹状の形状を有するので、ワイヤハーネス案内部１２０は、ワイヤハーネスＷを所望する向きに変位させて案内することができる。車両のドアの開閉の動きに応じて、ワイヤハーネス案内部１２０は変形することができ、ドアが開けられた状態でも、ドアが閉じられた状態でも、ワイヤハーネスＷを適切に案内することができる。
【００４７】
ワイヤハーネス案内部１２０は、第１の端部１２４と第２の端部１２６とを有する。第１の端部１２４は、車両のボディ側に設けられる。
【００４８】
＜グロメット基部１３０＞
グロメット１１０は、グロメット１１０の基体を構成するグロメット基部１３０を有する。グロメット基部１３０は、主に、表面１３２と裏面１３４と外周部１３６とを有する。グロメット基部１３０の表面１３２には、突条１３８及び突条１４０が形成されている。突条１３８を形成したことによって、グロメット基部１３０の表面１３２に付着した液体が貫通孔１５０に至ることを低減することができる。同様に、突条１４０を形成したことによって、グロメット基部１３０の表面１３２に付着した液体が貫通孔１５２に至ることを低減することができる。
【００４９】
＜貫通穴１６０＞
グロメット基部１３０には、表面１３２と裏面１３４とを貫通する貫通穴１６０が形成されている。グロメット基部１３０の表面１３２には、ワイヤハーネス案内部１２０の第２の端部１２６が連結される。ワイヤハーネス案内部１２０の挿通穴１２２と、グロメット基部１３０の貫通穴１６０とが連通するように、ワイヤハーネス案内部１２０とグロメット基部１３０とが形成されている。挿通穴１２２と貫通穴１６０とを介してワイヤハーネスＷがワイヤハーネス案内部１２０に挿通される。
【００５０】
＜第１の止水リップ１４２及び第２の止水リップ１４４＞
グロメット基部１３０の外周部１３６には、第１の止水リップ１４２が形成されている。第１の止水リップ１４２は、変形可能、好ましくは、弾性変形可能である。したがって、グロメット基部１３０がドアパネルＰに取り付けられたときに、第１の止水リップ１４２をドアパネルＰに密着させることができ、グロメット基部１３０の裏面１３４を封止する。このようにすることで、ドアパネルＰに液体が侵入することを防止する。第１の止水リップ１４２はシール部（防水部）として機能する。
【００５１】
なお、第１の止水リップ１４２は、グロメット基部１３０の外周部１３６に形成されているため、多量の液体がグロメット基部１３０に付着したような場合には、グロメット基部１３０の裏側に液体が侵入する可能性もある。このため、グロメット基部１３０の外周部１３６には、排水口１４６も形成されている。グロメット基部１３０の裏側に侵入した液体は、排水口１４６から排出することができる。
【００５２】
さらに、グロメット基部１３０の裏面１３４には、第２の止水リップ１４４も形成されている。第２の止水リップ１４４の全体は、略Ｕ字状の形状を有し、第１の止水リップ１４２の内側に、かつ、第１の止水リップ１４２に沿うように形成されている。上述したように、第２の止水リップ１４４は略Ｕ字状の形状を有し、第２の止水リップ１４４の一部は開放されている。第２の止水リップ１４４は、第１の溝部２０に当接できるように形成されている。
【００５３】
第２の止水リップ１４４は、排水口１４６側に延出する延出部１４４ａを有する。延出部１４４ａを形成したことにより、グロメット基部１３０の裏側に侵入した液体を延出部１４４ａに沿って案内して排水口１４６に向かって導きやすくできる。
【００５４】
第２の止水リップ１４４は、外周部１３６に向かって分岐する分岐部１４４ｂ及び１４４ｃを有する。さらに、第２の止水リップ１４４は、外周部１３６に向かって湾曲する湾曲部１４４ｄ及び１４４ｅを有する。分岐部１４４ｂと湾曲部１４４ｄとによって、二重のシール部（防水部）として機能する。分岐部１４４ｃと湾曲部１４４ｅとによって、二重のシール部として機能する。
【００５５】
グロメットアセンブリ１００がドアパネルＰに取付けられたときには、第２の止水リップ１４４は、第１の溝部２０に押圧されて密着する。第２の止水リップ１４４によって液体をせき止めて、第１の溝部２０の内側の第２の溝部２２に液体が伝わらないようにする。第２の止水リップ１４４によってせき止められた液体は、排水口１４６から排出される。
【００５６】
グロメットアセンブリ１００がドアパネルＰに取付けられたときには、第２の止水リップ１４４の分岐部１４４ｂ及び１４４ｃと、湾曲部１４４ｄ及び１４４ｅとは、第２の溝部２２の一部を囲むように配置される。第１の溝部２０に液体が侵入した場合であっても、分岐部１４４ｂ及び１４４ｃと、湾曲部１４４ｄ及び１４４ｅとによる二重のシール部によって、第２の溝部２２までは液体が侵入しないようにできる。
【００５７】
上述した第１の止水リップ１４２及び第２の止水リップ１４４によって、グロメットアセンブリ１００のシール部として機能する。
【００５８】
＜貫通孔１５０及び１５２＞
グロメット基部１３０には、２つの貫通孔１５０及び１５２が形成されている。２つの貫通孔１５０及び１５２は、グロメットアセンブリ１００をドアパネルＰに取り付けるためのものである。図１に示すように、ドアパネルＰには２つの貫通孔２４及び２６が形成されている。２つの貫通孔２４及び２６の各々の背面にはナット（図示せず）が溶接されている。グロメット基部１３０の貫通孔１５０に固定用ボルト（図示せず）を挿通させて、ドアパネルＰの貫通孔２４の背面に溶接されているナットに固定用ボルトを螺合するとともに、グロメット基部１３０の貫通孔１５２に固定用ボルトを挿通させて、ドアパネルＰの貫通孔２６の背面に溶接されているナットに固定用ボルトを螺合することによって、グロメットアセンブリ１００をドアパネルＰに取り付けることができる。
【００５９】
＜突条１５４＞
グロメット基部１３０の表面１３２には突条１５４が形成されている。突条１５４は、グロメットアセンブリ１００はドアパネルＰに取付けられたときに、上下方向に沿って位置するように形成されている（図１参照）。グロメットアセンブリ１００はドアパネルＰに取付けられたときに、突条１５４の側部にドアウェザーストリップ（図示せず）が取り付けられる。突条１５４は、ドアウェザーストリップを案内できる形状を有する。
【００６０】
＜＜樹脂インナー１７０＞＞
図４は、樹脂インナー１７０の裏側を示す斜視図で、図５は、樹脂インナー１７０の表側を示す斜視図である。
【００６１】
樹脂インナー１７０は熱可塑性樹脂などの樹脂によって形成されている。金属ではなく樹脂にしたことにより、グロメットアセンブリ１００を軽量化することができ、車両全体を軽くすることによって車両の燃費を向上させることができる。樹脂の材料として、グロメット基部１３０の強度を十分に確保でき、クリープ現象などの各種の経時変化が少ない材料を選択することが好ましい。
【００６２】
樹脂インナー１７０は、外形形成部１７２と案内板１７４とを有する。
【００６３】
＜外形形成部１７２＞
外形形成部１７２は、ドアパネルＰ及びドアパネルＰの第１の溝部２０の輪郭に応じた形状を有する。本実施の形態では、外形形成部１７２は、略平坦な薄板状で略矩形状の形状を有する。外形形成部１７２の２つの隅１７６及び１７８は、第１の溝部２０の輪郭に応じて丸みをもった形状を有する。外形形成部１７２は、第１の溝部２０の輪郭に適合する形状を有し、グロメット基部１３０によって第１の溝部２０を閉塞できる形状であればよい。
【００６４】
後述するように、グロメットアセンブリ１００の成形によって、外形形成部１７２はグロメット基部１３０により覆われる。グロメット基部１３０は、薄膜で変形可能に形成されるが、外形形成部１７２によって外形形成部１７２に応じた一定の外形を維持することができる。グロメット基部１３０の外形を外形形成部１７２によって一定に維持することによって、グロメット基部１３０を第１の溝部２０の形状に応じて取り付けることができる。
【００６５】
外形形成部１７２の表面１８０及び裏面１８２の双方は、複数の突条１８４が前面に亘って形成されている。外形形成部１７２に力が加わる箇所の近くでは、突条１８４が密に形成されている。複数の突条１８４を形成することによって、外形形成部１７２の全体的な厚みを薄くしつつ強度を保つことができる。このように、グロメット基部１３０の強度を保ちかつグロメットアセンブリ１００を軽量化することができる。
【００６６】
＜貫通孔１８６＞
外形形成部１７２には、表面１８０と裏面１８２と貫通する貫通孔１８６が形成されている。貫通孔１８６は、略矩形状の形状を有する。貫通孔１８６は、グロメット基部１３０の貫通穴１６０に対応する。貫通孔１８６の形状は、ワイヤハーネス案内部１２０の断面形状とおおよそ一致する。
【００６７】
＜貫通孔１８８、１９０＞
外形形成部１７２には、表面１８０と裏面１８２と貫通する２つの貫通孔１８８、１９０が形成されている。２つの貫通孔１８８、１９０は、グロメットアセンブリ１００をドアパネルＰに取り付けるときに、固定用ボルト（図示せず）を挿通するために用いられる。後述するように、２つの貫通孔１８８、１９０の各々には、外形形成部１７２を補強するためのカラー４００が取り付けられる。したがって、固定用ボルトは、直接的には、カラー４００の貫通孔４０６を挿通する。また、グロメットアセンブリ１００の成形によって、外形形成部１７２がグロメット基部１３０により覆われたときには、外形形成部１７２の貫通孔１８８はグロメット１１０の貫通孔１５２となり、外形形成部１７２の貫通孔１９０はグロメット１１０の貫通孔１５０となる。
【００６８】
＜グロメット基部１３０の外周部１３６との関係＞
グロメットアセンブリ１００の成形によって、外形形成部１７２は、グロメット基部１３０の大半により覆われる。しかしながら、グロメット基部１３０の外周部１３６は、外形形成部１７２を覆わない。すなわち、グロメット基部１３０の外周部１３６には外形形成部１７２は存在せず、外周部１３６はゴム膜のみで形成される。外周部１３６は、外形形成部１７２の外周から延出するように形成される。このため、外周部１３６は、変形可能な状態を維持することができる。外周部１３６が変形可能であるので、グロメットアセンブリ１００がドアパネルＰに取り付けられたときに、外周部１３６をドアパネルＰに密着させることができ、グロメット基部１３０の裏面１３４側に液体が侵入することを防止して封止状態を維持することができる。
【００６９】
＜案内板１７４及び湾曲部１９２＞
案内板１７４は、案内板１７４は、略平坦で薄板状の略矩形状の形状を有する。案内板１７４は、湾曲部１９２を介して外形形成部１７２と一体的に形成される。湾曲部１９２は、外形形成部１７２から突出しつつ、外形形成部１７２に対して略垂直に湾曲する形状を有する。湾曲部１９２によって案内板１７４を外形形成部１７２から突出させることにより、グロメットアセンブリ１００はドアパネルＰに取付けられたときに、案内板１７４をドア内板部Ｐｌの側方の収納空間Ｓに位置づけることができる（図１の矢印Ａ参照）。すなわち、湾曲部１９２を介して案内板１７４を設けたことによって、案内板１７４をドアパネルＰやドア内板部Ｐｌなどの各種のドア部材と干渉しない位置に配置することができる。
【００７０】
案内板１７４は、外形形成部１７２に対して略垂直方向に設けられている。したがって、樹脂インナー１７０全体の断面は略Ｌ字状の形状を有する。言い換えれば、外形形成部１７２の法線方向は、樹脂インナー１７０の法線方向に対して略垂直である。本実施の形態では、滑らかに湾曲する形状を有する湾曲部１９２によって案内板１７４を外形形成部１７２に接続する場合を示したが、案内板１７４が外形形成部１７２に屈曲するように接続してもよい。案内板１７４が、ドアパネルＰやドア内板部Ｐｌなどの各種のドア部材と干渉しない位置に配置できればよい。
【００７１】
案内板１７４は、湾曲部１９２の略中央部で接続されている。案内板１７４は、外形形成部１７２や湾曲部１９２の幅よりも短く形成されている。
【００７２】
上述したように、案内板１７４は、ドアパネルＰやドア内板部Ｐｌなどの各種のドア部材と干渉しない位置に配置することができる。グロメットアセンブリ１００がドアパネルＰに取付けられたときには、案内板１７４と第２の溝部２２との間に間隙が形成される。案内板１７４は、グロメット１１０の貫通穴１６０から導出されたワイヤハーネスＷを、案内板１７４と第２の溝部２２との間の間隙を介して、ドア内板部Ｐｌの表面に沿って案内する。このようにすることで、いわゆる貫通レスの方式でもワイヤハーネスＷをドアに導くことができる。
【００７３】
上述したように、グロメットアセンブリ１００の成形によって、外形形成部１７２はグロメット基部１３０により覆われる。しかしながら、案内板１７４は、グロメット基部１３０によって覆われず、樹脂インナー１７０の樹脂がそのまま露出している。なお、グロメットアセンブリ１００を成形する金型によっては、湾曲部１９２の端部１９８は、グロメット基部１３０によって覆われる場合もある。
【００７４】
＜第１の突起１９４及び第２の突起１９６＞
湾曲部１９２の端部１９８には、第１の突起１９４及び第２の突起１９６が形成されている。第１の突起１９４及び第２の突起１９６は、案内板１７４を挟みかつ案内板１７４と略一列に並ぶように、湾曲部１９２の端部１９８に形成されている。すなわち、第１の突起１９４及び第２の突起１９６と湾曲部１９２とは、外形形成部１７２の法線と略平行に突出するように形成される。
【００７５】
上述したように、グロメットアセンブリ１００がドアパネルＰに取り付けられたときに、案内板１７４は収納空間Ｓに位置づけられ（図１の矢印Ａ参照）、ドアパネルＰやドア内板部Ｐｌなどの各種のドア部材と干渉しない。第１の突起１９４及び第２の突起１９６も同様に、グロメットアセンブリ１００がドアパネルＰに取り付けられたときには、収納空間Ｓに位置づけられ、ドアパネルＰやドア内板部Ｐｌなどの各種のドア部材と干渉することはない（図１の矢印Ｂ及びＣ参照）。このようにしたことで、案内板１７４のみならず、第１の突起１９４及び第２の突起１９６も収納空間Ｓに配置することができ、収納空間Ｓを有効に活用することができる。
【００７６】
なお、本実施の形態では、第１の突起１９４及び第２の突起１９６を、外形形成部１７２の法線と略平行に突出するように形成する場合を示したが、案内板１７４の法線と略平行に突出するように形成してもよい。第１の突起１９４及び第２の突起１９６が、ドアパネルＰやドア内板部Ｐｌと干渉したり、ワイヤハーネスＷを妨げたりしなければよい。
【００７７】
第１の突起１９４の直径は、第２の突起１９６の直径よりも大きく形成されている。後述するように、第１の突起１９４は、グロメット保護部材２００の第１の係止孔２４０や第４の掛止孔２４６に挿入される。第２の突起１９６は、グロメット保護部材２００の第２の掛止孔２４２や第３の係止孔２４４に挿入される。
【００７８】
本実施の形態では、上述したように第１の突起１９４の太さと第２の突起１９６の太さは互いに異なるが、長さは同じである。ここで長さとは、湾曲部１９２の端部１９８から突起の端部までの長さである。なお、第１の突起１９４の長さと第２の突起１９６の長さとを互いに異ならしめてもよい。太さだけでなく長さを異ならしめることによっても、第１の突起１９４と第２の突起１９６との違いを明確にすることができる。
【００７９】
上述した案内板１７４と同様に、第１の突起１９４及び第２の突起１９６は、グロメット基部１３０によって覆われず、樹脂インナー１７０の樹脂がそのまま露出している。
【００８０】
第１の突起１９４及び第２の突起１９６の先端部は、先端に向って徐々に細くなるようにテーパー部が形成されている。第１の突起１９４及び第２の突起１９６の先端にテーパー部を形成したことにより、第１の突起１９４及び第２の突起１９６を、係止孔２４０〜２４６に挿入しやすくできる。
【００８１】
＜＜カラー４００＞＞
図１３は、カラー４００の鍔部形成側を示す斜視図（ａ）と、円筒部形成側を示す斜視図（ｂ）とである。
【００８２】
カラー４００は、主として、鉄や真鍮などの金属によって形成される。なお、カラー４００を樹脂によって形成した場合であっても、カラー４００の強度を樹脂インナー１７０の強度よりも高くできればよい。後述するように、グロメットアセンブリ１００は、カラー４００を介してドアパネルＰに取り付けられる。固定用ボルトとナット（ドアパネルＰ）とからの力は、カラー４００に加えられ、樹脂インナー１７０には直接加えられない。このようにすることで、樹脂インナー１７０を保護することができる。
【００８３】
カラー４００は、円筒部４０２と鍔部４０４とからなる。カラー４００には、長手方向に沿って貫通孔４０６が形成されている。貫通孔４０６には、グロメットアセンブリ１００をドアパネルＰに取り付けるときに用いる固定用ボルト（図示せず）の軸部が挿通される。
【００８４】
＜ドアパネルＰへの取り付けとカラー４００＞
グロメットアセンブリ１００をドアパネルＰに取り付けたときに、鍔部４０４の表面４０８が固定用ボルトの座面（図示せず）と接触する。なお、固定用ボルトの座面と鍔部４０４の表面４０８が直接接触する場合だけでなく、ワッシャーなどの他の部材を介して鍔部４０４の表面４０８と接触するようにしてもよい。ワッシャーなどの他の部材によって車両の振動などを吸収することができる。
【００８５】
円筒部４０２の端面４１０がグロメット基部１３０の裏面１３４から突出するように、かつ、円筒部４０２の端面４１０が第２の止水リップ１４４の高さよりも低くなるようにカラー４００はグロメット基部１３０に設けられる。すなわち、第２の止水リップ１４４が円筒部４０２の端面４１０よりも突出するように、カラー４００はグロメット基部１３０に設けられる。
【００８６】
グロメットアセンブリ１００をドアパネルＰに取り付けるときには、円筒部４０２の端面４１０がドアパネルＰのドア側板部Ｐ２の第１の溝部２０に当接するように、固定用ボルトによってグロメットアセンブリ１００はドアパネルＰに固定される。第２の止水リップ１４４が円筒部４０２の端面４１０よりも突出するように、カラー４００はグロメット基部１３０に設けられているので、円筒部４０２の端面４１０がドアパネルＰのドア側板部Ｐ２の第１の溝部２０に当接する状態になったときには、第２の止水リップ１４４は、ドア側板部Ｐ２の第１の溝部２０に押圧されて密着する。このように、第２の止水リップ１４４がドア側板部Ｐ２の第１の溝部２０に密着した状態となるので、第２の止水リップ１４４によって液体を的確にせき止めることができる。
【００８７】
グロメットアセンブリ１００をドアパネルＰに取り付けるときには、まず、カラー４００の貫通孔４０６（グロメット基部１３０の貫通孔１５０）と、第１の溝部２０に形成された貫通孔２４とが連通するように、かつ、カラー４００の貫通孔４０６（グロメット基部１３０の貫通孔１５２）と、第１の溝部２０に形成された貫通孔２６とが連通するようにグロメットアセンブリ１００をドアパネルＰに対して位置づける。次いで、固定用ボルトを貫通孔４０６とに挿通させ、貫通孔２４の裏側に溶接されているナットに固定用ボルトを螺合させる。同様に、固定用ボルトを貫通孔４０６とに挿通させ、貫通孔２６の裏側に溶接されているナットに固定用ボルトを螺合させる。
【００８８】
＜グロメット保護部材２００とカラー４００＞
また、グロメットアセンブリ１００をグロメット保護部材２００に取り付けることで、グロメット基部１３０の一部をグロメット保護部材２００に収納できる。グロメット保護部材２００は、グロメットアセンブリ１００を搬送したり保管したりするときに、グロメットアセンブリ１００を保護するための部材である。上述したように、カラー４００の円筒部４０２の端面４１０はグロメット基部１３０の裏面１３４から突出する。グロメットアセンブリ１００がグロメット保護部材２００に取り付けられたときには、円筒部４０２の端面４１０は、後述する隆起部２３０及び２３２と当接するとともに、湾曲部１９２の端部１９８が保護底部２２０と当接する。
【００８９】
したがって、グロメットアセンブリ１００の円筒部４０２の端面４１０と湾曲部１９２の端部１９８とのみがグロメット保護部材２００と接触し、グロメットアセンブリ１００の他の箇所はグロメット保護部材２００と接触しないようにできる。すなわち、グロメット基部１３０の裏面１３４が保護底部２２０から離隔した状態に保つことができる。このようにしたことにより、第１の止水リップ１４２（外周部１３６）及び第２の止水リップ１４４が、グロメット保護部材２００のいずれの箇所とも接触しないにようにでき、搬送時においても保管時においても、第１の止水リップ１４２及び第２の止水リップ１４４を保護することができる。
【００９０】
このように、グロメット保護部材２００は、グロメットアセンブリ１００が周囲の外部の部品や装置などと接触することを防止できるとともに、グロメット保護部材２００自身と接触することを防止できることができる。
【００９１】
＜＜グロメットアセンブリ１００の成形＞＞
グロメットアセンブリ１００の成形は、以下の手順で行う。
【００９２】
まず、樹脂インナー１７０の２つの貫通孔１８８及び１９０の双方にカラー４００を取り付ける。カラー４００を樹脂インナー１７０に圧入することで、カラー４００を取り付けることができる。２つの貫通孔１８８及び１９０の直径をカラー４００の円筒部４０２の直径以下にすることによって、カラー４００が樹脂インナー１７０から離脱しないようにできる。
【００９３】
次に、カラー４００を樹脂インナー１７０に取り付けた状態で、グロメット１１０の形成用の金型（図示せず）に樹脂インナー１７０を一定の位置に配置し、グロメット１１０を形成するためのエラストマーを金型に流し込む。樹脂インナー１７０の外形形成部１７２の表面１８０を覆ったエラストマーによって、グロメット基部１３０の表面１３２が形成される。また、樹脂インナー１７０の外形形成部１７２の裏面１８２を覆ったエラストマーによって、グロメット基部１３０の裏面１３４が形成される。
【００９４】
また、樹脂インナー１７０の外形形成部１７２には、表面１８０と裏面１８２とを貫通する複数の小さな貫通孔（図施せず）が形成されている。金型に流し込まれたエラストマーは、樹脂インナー１７０の表面１８０及び裏面１８２を覆うだけでなく、これらの貫通孔にも流入する。貫通孔にエラストマーが流入することによって、グロメット基部１３０の表面１３２と裏面１３４とを連結させることができる。グロメット基部１３０の表面１３２と裏面１３４とを連結させてグロメット基部１３０を一体的に形成することによって、樹脂インナー１７０に対するグロメット基部１３０の被覆状態を維持することができる。
【００９５】
グロメット１１０の成形は、射出成形（インジェクション）でも直圧成形（コンプレッション）でも直圧注入成形（トランスファー）でもよく、グロメット１１０の材料や樹脂インナー１７０の材料に応じて適宜定めればよい。このようにすることで、グロメットアセンブリ１００を一体的にインサート成形することができる。
【００９６】
カラー４００を樹脂インナー１７０に予め取り付けた状態で、グロメット１１０を形成するので、カラー４００に密着させてグロメット１１０を形成することができる。特に、カラー４００の鍔部４０４の円筒周囲にグロメット１１０を密着させて形成することができる。すなわち、カラー４００の鍔部４０４の周囲を密着するようにゴム膜を形成することができる。このため、カラー４００と樹脂インナー１７０とを的確に封止することができ、カラー４００と樹脂インナー１７０と間を伝って液体が流れることを防止することができる。
【００９７】
なお、グロメット１１０を樹脂インナー１７０上に形成した後に、カラー４００を樹脂インナー１７０に取り付けた場合には、カラー４００の鍔部４０４の円筒周囲にはグロメット１１０は形成されることはない。この場合には、鍔部４０４の円筒周囲とグロメット１１０との間に隙間が生ずる。
【００９８】
上述したように、金型にエラストマーを流し込むことによってグロメット１１０を形成する。これにより、樹脂インナー１７０の外形形成部１７２の周囲にグロメット１１０としてゴム膜が成形される。グロメット１１０の成形では、上述したように、案内板１７４及び第１の突起１９４及び第２の突起１９６の周囲には、ゴム膜は成形されない。すなわち、案内板１７４及び第１の突起１９４及び第２の突起１９６は、ゴム膜によって覆われずに剥き出しの状態となる。
【００９９】
＜＜＜グロメット保護部材２００＞＞＞
図６は、グロメット保護部材２００の内側を示す正面図で、図７は、グロメット保護部材２００の外側を示す背面図ある。なお、図６及び図７は、第１のカバー体２１０と第２のカバー体３１０とを互いに広げた状態を示す図である。
【０１００】
グロメット保護部材２００は、グロメットアセンブリ１００の少なくとも一部を収納して覆うことによって、グロメットアセンブリ１００を搬送したり保管したりするときに、グロメットアセンブリ１００を保護するための部材である。
【０１０１】
グロメット保護部材２００は、樹脂によって成形されている。グロメット保護部材２００は、金型成形などで成形することができる。
【０１０２】
グロメット保護部材２００は、略Ｕ字状形状を有する第１のカバー体２１０と第２のカバー体３１０とからなる。第１のカバー体２１０は、主に、グロメット基部１３０の裏面１３４、特に、第１の止水リップ１４２の裏面１３４側及び第２の止水リップ１４４を保護する。第２のカバー体３１０は、グロメット基部１３０の表面１３２、特に、第１の止水リップ１４２の表面１３２側を保護する。
【０１０３】
第１のカバー体２１０と第２のカバー体３１０との間には、所定の長さの接合部２０２が形成されている。第１のカバー体２１０と第２のカバー体３１０とは接合部２０２を介して、互いに連結されている。第１のカバー体２１０と第２のカバー体３１０とは、接合部２０２を中心にして、折れ曲がることができる。第１のカバー体２１０と第２のカバー体３１０とが折れ曲がることで、第２のカバー体３１０は、第１のカバー体２１０と重なりあうことができる。
【０１０４】
＜＜第１のカバー体２１０＞＞
第１のカバー体２１０は、上述したように、略Ｕ字状形状を有する。第１のカバー体２１０は、連結部２１２と、連結部２１２を挟む第１の脚部２１４及び第２の脚部２１６とを有する。第１の脚部２１４及び第２の脚部２１６は、互いに向かい合って連結部２１２の端部に接続されている。連結部２１２の一部には、第１のカバー体２１０と第２のカバー体３１０とを接合する接合部２０２が形成されている。
【０１０５】
＜保護底部２２０＞
第１の脚部２１４及び第２の脚部２１６と連結部２１２とによって、略平面状の形状を有する保護底部２２０が形成される。保護底部２２０は、主に、グロメット基部１３０の裏面１３４を保護する。特に、グロメット基部１３０の裏面１３４に形成された第２の止水リップ１４４を保護する。
【０１０６】
＜外周壁２２２＞
第１のカバー体２１０には、第１のカバー体２１０の外周に沿って外周壁２２２が形成されている。外周壁２２２は、第１のカバー体２１０の外周に沿って形成されているので、外周壁２２２の外形も略Ｕ字状形状を有する。第１の脚部２１４の端部２６０及び第２の脚部２１６の端部２６２において、外周壁２２２は内側に向かって略垂直に湾曲して形成されており、端部２６０の外周壁２２２と端部２６２の外周壁２２２とが互いに向かい合う。後述する間隙２２４が形成されている箇所を除いて、第１のカバー体２１０の外周に沿って外周壁２２２が形成されている。外周壁２２２は、第１のカバー体２１０の内面（図６）だけでなく、第１のカバー体２１０の外面（図７）にも形成されている。
【０１０７】
外周壁２２２は、所定の高さを有する。外周壁２２２は、保護底部２２０に対して略垂直に形成されている。外周壁２２２は、後述する第２のカバー体３１０の外周壁３２２とともに、グロメット基部１３０の外周部１３６を保護する。具体的には、外周壁２２２及び外周壁３２２は、グロメット基部１３０の外周に形成された第１の止水リップ１４２を保護する。また、保護底部２２０に対して略垂直な外周壁２２２を形成することによって、第１のカバー体２１０の強度を高めて、第１のカバー体２１０が撓んだり変形したりすることを防止することができる。
【０１０８】
＜間隙２２４＞
第１の脚部２１４と第２の脚部２１６との間には、間隙２２４が形成されている。間隙２２４は、狭間隔部２２６と広間隔部２２８とからなる。狭間隔部２２６は、ワイヤハーネス案内部１２０及びワイヤハーネスＷを通過させて配置することができる間隔が形成されていればよい。間隙２２４は、ワイヤハーネスＷの逃がし穴として機能する。狭間隔部２２６を設けたことにより、グロメットアセンブリ１００にワイヤハーネスＷを取り付けた状態でグロメット基部１３０を保護することができる。したがって、グロメットアセンブリ１００にワイヤハーネスＷを取り付けた状態で搬送したり保管したりすることができる。また、広間隔部２２８は、樹脂インナー１７０の案内板１７４を通過させることができる間隔が形成されていればよい。後述するように、広間隔部２２８には、樹脂インナー１７０の案内板１７４が配置される。
【０１０９】
＜隆起部２３０及び２３２＞
第１の脚部２１４は、略一定の高さを有し略平面状に形成された隆起部２３０を有する。第２の脚部２１６は、略一定の高さを有し略平面状に形成された隆起部２３２を有する。隆起部２３０及び２３２は、グロメット基部１３０のカラー４００の端面４１０と当接することができる。このように、カラー４００の端面４１０が隆起部２３０及び２３２に当接できるようにすることで、グロメット基部１３０の裏面１３４が保護底部２２０から離隔した状態に保つことができる。隆起部２３０及び２３２によって、搬送時においても保管時においても、グロメット基部１３０の裏面１３４を第１のカバー体２１０のいずれの箇所からも離隔することができ、第１の止水リップ１４２及び第２の止水リップ１４４を保護することができる。
【０１１０】
＜貫通孔２３４及び２３６＞
隆起部２３０には、貫通孔２３４が形成されている。隆起部２３２には、貫通孔２３６が形成されている。貫通孔２３４及び２３６は、グロメットアセンブリ１００をグロメット保護部材２００に取り付けるときに、グロメットアセンブリ１００を位置決めするために用いられる。グロメットアセンブリ１００の位置決めについては後述する。
【０１１１】
＜係止孔２４０、２４２、２４４、２４６＞
第１の脚部２１４の端部２６０には、第１の係止孔２４０及び第２の係止孔２４２が形成されている。第１の係止孔２４０及び第２の係止孔２４２は、第１の脚部２１４の端部２６０に沿って形成されている。第２の脚部２１６の端部２６２には、第３の係止孔２４４及び第４の係止孔２４６が形成されている。第３の係止孔２４４及び第４の係止孔２４６は、第２の脚部２１６の端部２６２に沿って形成されている。本実施の形態では、これらの４つの係止孔２４０〜２４６は、保護底部２２０の外面と内面とを貫通する貫通孔として形成されている。
【０１１２】
外側に形成された第１の係止孔２４０及び第４の係止孔２４６の直径が、内側に形成された第２の係止孔２４２及び第３の係止孔２４４の直径よりも大きく、４つの係止孔２４０〜２４６は形成されている。４つの係止孔２４０〜２４６は、グロメットアセンブリ１００をグロメット保護部材２００に係止するために用いられる。
【０１１３】
第１の係止孔２４０及び第４の係止孔２４６の直径は、第１の突起１９４の直径よりも若干大きく形成されている。第２の係止孔２４２及び第３の係止孔２４４の直径は、第２の突起１９６の直径よりも若干大きく形成されている。グロメットアセンブリ１００がグロメット保護部材２００に対して変位しにくくして、グロメットアセンブリ１００の位置を一定にすることができる。
【０１１４】
グロメットアセンブリ１００を係止するときには、第１の係止孔２４０及び第３の係止孔２４４が対で用いられ、第２の係止孔２４２及び第４の係止孔２４６が対で用いられる。たとえば、第２の係止孔２４２及び第４の係止孔２４６は、右側用のグロメットアセンブリ１００を係止するときに用いられる。右側用のグロメットアセンブリ１００とは、右側のドアに取り付けられるグロメットアセンブリ１００である。第１の係止孔２４０及び第３の係止孔２４４は、左側用のグロメットアセンブリ１００を係止するときに用いられる。左側用のグロメットアセンブリ１００は、左側のドアに取り付けられるグロメットアセンブリ１００である。
【０１１５】
第２の係止孔２４２及び第４の係止孔２４６は、右側用のグロメットアセンブリ１００をグロメット保護部材２００に取り付けるために最適な位置に形成されている。同様に、第１の係止孔２４０及び第３の係止孔２４４は、左側用のグロメットアセンブリ１００をグロメット保護部材２００に取り付けるために最適な位置に形成されている。ここで最適な位置とは、グロメットアセンブリ１００をグロメット保護部材２００に取り付けたときに、第１の止水リップ１４２及び第２の止水リップ１４４がグロメット保護部材２００のいずれの箇所にも接触したり当接したりしない位置をいう。
【０１１６】
第４の係止孔２４６には、樹脂インナー１７０の第１の突起１９４が挿入される。第２の係止孔２４２には、樹脂インナー１７０の第２の突起１９６が挿入される。このように、直径が大きい係止孔には、直径が大きい突起が挿入され、直径が小さい係止孔には、直径が小さい突起が挿入される。
【０１１７】
したがって、右側用のグロメットアセンブリ１００を取り付けるための第２の係止孔２４２及び第４の係止孔２４６は、大小の対を形成し、左側用のグロメットアセンブリ１００を取り付けるための第１の係止孔２４０及び第３の係止孔２４４も、大小の対を形成する。すなわち、大きい直径の係止孔と小さい直径の係止孔とが常に対で用いられる。
【０１１８】
このため、右側用のグロメットアセンブリ１００用の第２の係止孔２４２及び第４の係止孔２４６に、左側用のグロメットアセンブリ１００を誤って取り付けることを防止することができる。同様に、左側用のグロメットアセンブリ１００用の第１の係止孔２４０及び第３の係止孔２４４に、右側用のグロメットアセンブリ１００を誤って取り付けることを防止することができる。
【０１１９】
このようにしたことにより、右側用でも左側用でもグロメットアセンブリ１００をグロメット保護部材２００に常に適切に取り付けることができる。また、右用であるか左用であるかを確認することなく、グロメットアセンブリ１００をグロメット保護部材２００に取り付けることができ、作業を簡便にすることができる。
【０１２０】
４つの係止孔２４０〜２４６をグロメット保護部材２００に形成することによって、右側用のグロメットアセンブリ１００を保護する場合にも、左側用のグロメットアセンブリ１００を保護する場合にも、グロメット保護部材２００を共用することができる。
【０１２１】
４つの係止孔２４０〜２４６の各々の開口付近には、開口端部に向って開口が徐々に広がるようにテーパー部（図示せず）が形成されている。テーパー部を形成したことにより、第１の突起１９４や第２の突起１９６を係止孔２４０〜２４６に挿入しやすくできる。
【０１２２】
＜保持孔２５０、２５２＞
外周壁２２２は、第１の脚部２１４の端部２６０に沿って形成され、第２の脚部２１６の端部２６２に沿って形成されている。したがって、第１の脚部２１４の外周壁２２２と、第２の脚部２１６の外周壁２２２とは向かい合う。
【０１２３】
図６に示すように第１の脚部２１４の外周壁２２２の内側には、第１の保持孔２５０が形成されている。第２の脚部２１６の外周壁２２２の内側には、第２の保持孔２５２が形成されている。第２のカバー体３１０を折り曲げて第１のカバー体２１０に重ねるときには、第２のカバー体３１０の第１の突出片３８０が、第１の保持孔２５０に挿入され、第２のカバー体３１０の第２の突出片３８２が、第２の保持孔２５２に挿入される。このようにすることで、第２のカバー体３１０が第１のカバー体２１０に重なる位置を定めることができるとともに、位置決め作業を省くことができるので、第２のカバー体３１０を第１のカバー体２１０に重ねる作業を容易にすることができる。
【０１２４】
＜掛止片２５４、２５６＞
第１の脚部２１４の外周壁２２２の外側には、第１の掛止片２５４が掛止部として形成されている。第２の脚部２１６の外周壁２２２の外側には、第２の掛止片２５６が掛止部として形成されている。第１の掛止片２５４も第２の掛止片２５６も爪部が形成されている。第２のカバー体３１０を折り曲げて第１のカバー体２１０に重ねたときには、第２のカバー体３１０の第１の掛止孔３９０が、第１の掛止片２５４の爪部によって掛止され、第２のカバー体３１０の第２の掛止孔３９２が、第２の掛止片２５６の爪部によって掛止される。このように、第１の掛止片２５４による掛止と、第２の掛止片２５６による掛止とによって、第２のカバー体３１０を折り曲げて第１のカバー体２１０に重ねたときには、重ねた状態を維持することができる。したがって、搬送時においても、第２のカバー体３１０が、第１のカバー体２１０から開放されたり、位置がずれたりすることを防止でき、グロメットアセンブリ１００を保護することができる。
【０１２５】
＜突条２７０＞
第１のカバー体２１０の外面には、複数の突条２７０が形成されている。突条２７０は、連結部２１２、第１の脚部２１４及び第２の脚部２１６に保護底部２２０に対して垂直に形成されている。複数の突条２７０は、互いに交差する。第１のカバー体２１０に複数の突条２７０を形成したことにより、第１のカバー体２１０の強度を高めることができるとともに、変形しにくくして一定の形状を保持することができる。グロメット保護部材２００に衝撃や振動が加えられた場合であっても、第１のカバー体２１０の形状を一定に保つことによって、グロメット基部１３０の裏面１３４を的確に保護することができる。
【０１２６】
＜＜第２のカバー体３１０＞＞
第２のカバー体３１０は、第１のカバー体２１０と同様に、略Ｕ字状形状を有する。第２のカバー体３１０は、連結部３１２と、連結部３１２を挟む第１の脚部３１４及び第２の脚部３１６とを有する。第１の脚部３１４及び第２の脚部３１６は、互いに向かい合って連結部３１２の端部に接続されている。連結部３１２の一部には、第１のカバー体２１０と第２のカバー体３１０とを接合する接合部２０２が形成されている。
【０１２７】
＜保護底部３２０＞
第１の脚部３１４及び第２の脚部３１６と連結部３１２とによって、略平面状の形状を有する保護底部３２０が形成される。保護底部３２０は、主に、グロメット基部１３０の表面１３２を保護する。特に、グロメット基部１３０の表面１３２に形成された第１の止水リップ１４２を保護する。
【０１２８】
＜外周壁３２２＞
第２のカバー体３１０には、第２のカバー体３１０の外周に沿って外周壁３２２が形成されている。外周壁３２２は、第２のカバー体３１０の外周に沿っているので、第２のカバー体３１０も略Ｕ字状形状を有する。第１の脚部３１４の端部３６０及び第２の脚部３１６の端部３６２では、外周壁３２２は内側に向かって略垂直に湾曲して形成されており、端部３６０の外周壁３２２と端部３６２の外周壁３２２とが互いに向かい合う。したがって、後述する間隙３２４が形成されている箇所を除いて、第２のカバー体３１０の外周に沿って外周壁３２２が形成されている。
【０１２９】
外周壁３２２は、所定の高さを有する。外周壁３２２は、保護底部３２０に対して略垂直に形成されている。外周壁３２２は、第１のカバー体２１０の外周壁２２２と向かい合うことによって、グロメット保護部材２００の側壁を構成する。グロメットアセンブリ１００をグロメット保護部材２００に取り付けたときには、外周壁２２２及び外周壁３２２によって形成される側壁によりグロメット基部１３０の外周部１３６が保護される。より具体的には、外周壁２２２及び外周壁３２２は、グロメット基部１３０の外周に形成された第１の止水リップ１４２を保護する。また、保護底部３２０に対して略垂直な外周壁３２２を形成することによって、第２のカバー体３１０の強度を高めて、第２のカバー体３１０が撓んだり変形したりすることを防止することができる。
【０１３０】
＜間隙３２４＞
第１の脚部３１４と第２の脚部３１６との間には、間隙３２４が形成されている。第１のカバー体２１０の間隙２２４とは異なり間隙３２４は、一定の間隔を有する。間隙３２４は、ワイヤハーネスＷを通過させて配置することができる間隔が形成されていればよい。間隙３２４は、ワイヤハーネスＷの逃がし穴として機能する。第１のカバー体２１０では、ワイヤハーネスＷと樹脂インナー１７０の案内板１７４とを通過できるようにする必要があるが、第２のカバー体３１０では、ワイヤハーネスＷのみを通過させることができればよい。
【０１３１】
＜隆起部３３０及び３３２＞
第１の脚部３１４は、略一定の高さを有し略平面状に形成された隆起部３３０を有する。第２の脚部３１６は、略一定の高さを有し略平面状に形成された隆起部３３２を有する。グロメットアセンブリ１００をグロメット保護部材２００に取り付けて、第２のカバー体３１０を折り曲げて閉じたときには、隆起部３３０及び３３２は、グロメット基部１３０の表面１３２と当接することができる。このようにすることで、グロメットアセンブリ１００をグロメット保護部材２００に収納したときには、隆起部３３０及び３３２によってグロメット基部１３０を係止することができる。グロメット基部１３０を係止することによって、グロメット基部１３０が第１のカバー体２１０及び第２のカバー体３１０に対して変位することを防止して、グロメット基部１３０の第１の止水リップ１４２が第１のカバー体２１０や第２のカバー体３１０に接触することを防ぐことができる。
【０１３２】
＜隆起部３７０及び３７２＞
第１の脚部３１４は、略一定の高さを有し略平面状に形成された隆起部３７０を有する。第２の脚部３１６は、略一定の高さを有し略平面状に形成された隆起部３７２を有する。これらの隆起部３７０及び３７２は、グロメット基部１３０のカラー４００の鍔部４０４の表面４０８と当接することができる。グロメットアセンブリ１００をグロメット保護部材２００に取り付けて、第２のカバー体３１０を折り曲げて閉じたときには、隆起部３７０及び３７２は、カラー４００の鍔部４０４の表面４０８と当接することができる。このようにすることで、グロメットアセンブリ１００をグロメット保護部材２００に収納したときには、隆起部３７０及び３７２によってグロメット基部１３０を係止することができる。
【０１３３】
＜貫通孔３３４及び３３６＞
隆起部３７０には、貫通孔３３４が形成されている。隆起部３７２には、貫通孔３３６が形成されている。貫通孔３３４及び３３６は、グロメットアセンブリ１００をグロメット保護部材２００に取り付けるときに、グロメットアセンブリ１００を位置決めするために用いられる。グロメットアセンブリ１００の位置決めについては後述する。
【０１３４】
＜第１の突出片３８０及び第２の突出片３８２＞
外周壁３２２は、第１の脚部３１４の端部３６０に沿って形成され、第２の脚部３１６の端部３６２に沿って形成されている。したがって、第１の脚部３１４の外周壁３２２と、第２の脚部３１６の外周壁３２２とは向かい合う。
【０１３５】
第１の脚部３１４の外周壁３２２の内側には、第１の突出片３８０が形成されている。第２の脚部３１６の外周壁３２２の内側には、第２の突出片３８２が形成されている。第２のカバー体３１０を折り曲げて第１のカバー体２１０に重ねるときには、第２のカバー体３１０の第１の突出片３８０が、第１のカバー体２１０の第１の保持孔２５０に挿入されて案内され、第２のカバー体３１０の第２の突出片３８２が、第１のカバー体２１０の第２の保持孔２５２に挿入されて案内される。このようにすることで、第１のカバー体２１０の第１の脚部２１４の端部２６０と、第２のカバー体３１０の第１の脚部３１４の端部３６０との位置合わせと、第１のカバー体２１０の第２の脚部２１６の端部２６２と、第２のカバー体３１０の第２の脚部３１６の端部３６２との位置合わせとを的確かつ容易に行うことができる。
【０１３６】
＜第１の掛止孔３９０及び第２の掛止孔３９２＞
第１の脚部３１４の外周壁３２２の外側には、第１の掛止孔３９０が被掛止部として形成されている。第２の脚部３１６の外周壁３２２の外側には、第２の掛止孔３９２が被掛止部として形成されている。第２のカバー体３１０を折り曲げて第１のカバー体２１０に重ねたときには、第２のカバー体３１０の第１の掛止孔３９０が、第１のカバー体２１０の第１の掛止片２５４の爪部によって掛止され、第２のカバー体３１０の第２の掛止孔３９２が、第１のカバー体２１０の第２の掛止片２５６の爪部によって掛止される。このように、第１の掛止片２５４による掛止と、第２の掛止片２５６による掛止とによって、第２のカバー体３１０を第１のカバー体２１０に重ねて閉じたときには、第２のカバー体３１０が開放されることを防止して重ねた状態を維持することができる。したがって、搬送時においても、第２のカバー体３１０が、第１のカバー体２１０から開放されたり、位置がずれたりすることを防止でき、グロメットアセンブリ１００を保護することができる。
【０１３７】
＜＜＜グロメットアセンブリ１００のグロメット保護部材２００への取り付け＞＞＞
図８は、グロメットアセンブリ１００をグロメット保護部材２００に取り付けた状態を示す前方からの斜視図である。図９は、グロメットアセンブリ１００をグロメット保護部材２００に取り付けた状態を示す後方からの斜視図である。図１０及び図１１は、グロメットアセンブリ１００をグロメット保護部材２００に取り付ける作業の過程を示す斜視図である。
【０１３８】
上述したように、グロメットアセンブリ１００をグロメット保護部材２００に取り付けるときには、グロメットアセンブリ１００が右側用のものであるか、左側用のものであるかによって、第１のカバー体２１０の係止孔２４０、２４２、２４４、２４６を使い分ける。
【０１３９】
図９に示すように、右側用のグロメットアセンブリ１００をグロメット保護部材２００に取り付けるときには、樹脂インナー１７０の第１の突起１９４が第４の係止孔２４６に挿入されるようにかつ、樹脂インナー１７０の第２の突起１９６が第２の係止孔２４２に挿入されるように、グロメットアセンブリ１００をグロメット保護部材２００に対して位置づける。
【０１４０】
左側用のグロメットアセンブリ１００（図示せず）をグロメット保護部材２００に取り付けるときには、樹脂インナー１７０の第１の突起１９４（図示せず）が第１の係止孔２４０に挿入されるようにかつ、樹脂インナー１７０の第２の突起１９６（図示せず）が第３の係止孔２４４に挿入されるように、グロメットアセンブリ１００をグロメット保護部材２００に対して位置づける。
【０１４１】
このように、第１のカバー体２１０の４つの係止孔２４０、２４２、２４４、２４６を、右側用のグロメットアセンブリ１００又は左側用のグロメットアセンブリ１００に応じて使い分けることで、グロメット保護部材２００を右側用と左側用との双方を用意することなく、共通して用いることができる。
【０１４２】
右側用のグロメットアセンブリ１００であっても、左側用のグロメットアセンブリ１００であっても、樹脂インナー１７０の第１の突起１９４の直径が、第２の突起１９６の直径よりも大きく形成されている。また、第１の係止孔２４０及び第４の係止孔２４６の直径が、第２の係止孔２４２及び第３の係止孔２４４の直径よりも大きく、４つの係止孔２４０〜２４６は形成されている。このため、右側用のグロメットアセンブリ１００をグロメット保護部材２００に取り付ける場合であっても、左側用のグロメットアセンブリ１００をグロメット保護部材２００に取り付ける場合であっても、必ず、大きい突起及び大きい係止孔と、小さい突起及び小さい係止孔との大小の対が形成される。
【０１４３】
したがって、右側用のグロメットアセンブリ１００用の第２の係止孔２４２及び第４の係止孔２４６に、左側用のグロメットアセンブリ１００を誤って取り付けることを防止することができる。同様に、左側用のグロメットアセンブリ１００用の第１の係止孔２４０及び第３の係止孔２４４に、右側用のグロメットアセンブリ１００を誤って取り付けることを防止することができる。
【０１４４】
グロメットアセンブリ１００をグロメット保護部材２００に取り付ける作業では、２つの係合用ピン５０、５２（図１０及び図１１参照）を用いるのが好ましい。
【０１４５】
グロメットアセンブリ１００をグロメット保護部材２００に取り付ける作業で、まず、机などの作業台（図示せず）に、取り付け用の治具（図示せず）を設置する。取り付け用の治具には、係合用ピン５０、５２を治具に対して垂直に設けるための２つの孔が形成されている。２つの孔は、貫通孔２３４及び２３６に対応するように形成されている。２つの孔に、係合用ピン５０、５２を取り付ける。係合用ピン５０、５２の取り付けは、２つの孔に単に挿入するものでも、螺合するものでもよい。係合用ピン５０、５２が、治具に対して垂直になるように、かつ、治具から突出するように設ければよい。係合用ピン５０、５２の大きさと形状は、第１のカバー体２１０の貫通孔２３４及び２３６に挿入でき、取り付け用の治具の一定の位置に第１のカバー体２１０を保持できるものであればよい。
【０１４６】
次に、第１のカバー体２１０と第２のカバー体３１０とが開いた状態にして、係合用ピン５０、５２を取り付けた治具にグロメット保護部材２００を取り付ける。このとき、図１０に示すように、係合用ピン５０が、貫通孔２３４に挿入されるように、かつ、係合用ピン５２が、貫通孔２３６に挿入されるようにグロメット保護部材２００を取り付ける。このようにすることで、グロメット保護部材２００を治具の一定の位置に常に取り付けることができる。
【０１４７】
次に、図１０に示すように、グロメットアセンブリ１００をグロメット保護部材２００に取り付ける。具体的には、まず、係合用ピン５０が、グロメット基部１３０の貫通孔１５０に挿入できるように、かつ、係合用ピン５２が、グロメット基部１３０の貫通孔１５２に挿入できるように、グロメットアセンブリ１００を位置決めする。次いで、グロメット基部１３０の貫通孔１５０に係合用ピン５０を挿入し、グロメット基部１３０の貫通孔１５２に係合用ピン５２を挿入する。これによって、樹脂インナー１７０の第１の突起１９４は、第４の係止孔２４６に挿入され、樹脂インナー１７０の第２の突起１９６は、第２の係止孔２４２に挿入される。
【０１４８】
樹脂インナー１７０の第１の突起１９４を第４の係止孔２４６に挿入し、樹脂インナー１７０の第２の突起１９６を第２の係止孔２４２に挿入することによって、第１のカバー体２１０に対するグロメット基部１３０の位置が定められて、グロメットアセンブリ１００がグロメット保護部材２００に一定の位置で取り付けられる。このようにすることで、グロメット保護部材２００に対するグロメットアセンブリ１００の位置決めを容易にすることができ、作業を簡便にすることができ、グロメットアセンブリ１００をグロメット保護部材２００に的確に取り付けることができる。
【０１４９】
次に、図１１に示すように、第２のカバー体３１０を、接合部２０２で折り曲げて、第１のカバー体２１０に重なるように閉じる。係合用ピン５０が貫通孔３３４に挿入されるように、かつ、係合用ピン５２が貫通孔３３６に挿入されるようにして、第２のカバー体３１０を第１のカバー体２１０に重ねる。グロメット保護部材２００は、樹脂によって成形されている。このため、第２のカバー体３１０を折り曲げる際に、第１のカバー体２１０や第２のカバー体３１０に若干の変形が生ずる場合も想定される。このような変形が生じた場合には、第２のカバー体３１０を第１のカバー体２１０に重ねることが困難になる場合もあり得、作業を煩雑にする可能性がある。上述した構成により、係合用ピン５０によって貫通孔３３４の位置が定まり、係合用ピン５２によって貫通孔３３６の位置が定まるので、第２のカバー体３１０を第１のカバー体２１０に重ねる作業を容易にかつ的確にすることができる。
【０１５０】
図１２（ａ）及び（ｂ）に示すように、第２のカバー体３１０を第１のカバー体２１０に完全に閉じることによって、グロメットアセンブリ１００をグロメット保護部材２００に取り付け、グロメット基部１３０の一部をグロメット保護部材２００に収納できる。グロメット保護部材２００によって、第１の止水リップ１４２及び第２の止水リップ１４４を保護することができる。第２のカバー体３１０を第１のカバー体２１０に閉じるときには、第２のカバー体３１０の第１の突出片３８０が、第１のカバー体２１０の第１の保持孔２５０によって案内され、第２のカバー体３１０の第２の突出片３８２が、第１のカバー体２１０の第２の保持孔２５２によって案内される。さらに、第２のカバー体３１０を第１のカバー体２１０に閉じたときには、第２のカバー体３１０の第１の掛止孔３９０は、第１のカバー体２１０の第１の掛止片２５４の爪部によって掛止され、第２のカバー体３１０の第２の掛止孔３９２は、第１のカバー体２１０の第２の掛止片２５６の爪部によって掛止される。これらの掛止を解除しない限り、第２のカバー体３１０が第１のカバー体２１０から開放されることを防止できる。
【０１５１】
第２のカバー体３１０を第１のカバー体２１０に完全に閉じたときには、グロメット基部１３０のカラー４００の端面４１０が、第１のカバー体２１０の隆起部２３０及び２３２に当接でき、湾曲部１９２の端部１９８が保護底部２２０と当接できる。このようにすることで、グロメット基部１３０の裏面１３４を保護底部２２０から離隔した状態に保つことができ、第１の止水リップ１４２（外周部１３６）及び第２の止水リップ１４４が、グロメット保護部材２００のいずれの箇所とも接触しないようにできる。
【０１５２】
また、第２のカバー体３１０を第１のカバー体２１０に完全に閉じたときには、グロメット基部１３０のカラー４００の鍔部４０４の表面４０８が、隆起部３７０及び３７２に当接でき、グロメット基部１３０の表面１３２が、隆起部３３０及び３３２に当接できる。
【０１５３】
このように、第１のカバー体２１０と第２のカバー体３１０とによる当接によってグロメット基部１３０を挟んでグロメット基部１３０を一定の位置に保持することができる。グロメット基部１３０が一定の位置に保持されるので、振動や衝撃が加えられても、グロメット基部１３０が変位することはなく、グロメット基部１３０の第１の止水リップ１４２が第１のカバー体２１０や第２のカバー体３１０に接触することを防ぐことができ、第１のカバー体２１０や第２のカバー体３１０を適切な状態に維持することができる。
【０１５４】
＜＜＜グロメットアセンブリ１００及びグロメット保護部材２００の概要＞＞＞
上述したように、グロメットアセンブリ１００及びグロメット保護部材２００の概要は、グロメット１１０を有し車両のドアなどの被取付体に取付けることができるグロメットアセンブリ１００に、着脱可能に取り付けられるグロメット保護部材２００は、グロメットアセンブリ１００から突出する係止用突起（たとえば、第１の突起１９４及び第２の突起１９６など）を挿入可能に設けられた係止用孔壁部（たとえば、係止孔２４０、２４２、２４４、２４６など）を備える。
【０１５５】
グロメットアセンブリ１００から突出する係止用突起（たとえば、第１の突起１９４及び第２の突起１９６など）は、グロメット保護部材２００に設けられた係止用孔壁部（たとえば、係止孔２４０、２４２、２４４、２４６など）に挿入されることができ、グロメットアセンブリ１００をグロメット保護部材２００に対して一定の位置に保持することができる。グロメットアセンブリ１００、特に、グロメット１１０の状態を適切に維持できる。
【０１５６】
このような本実施の形態によるグロメットアセンブリ１００及びグロメット保護部材２００に対して、たとえば、グロメットアセンブリをドアパネルＰに取り付けるために形成されているグロメットの２つの貫通孔（本実施の形態の２つの貫通孔１５０及び１５２に相当する貫通孔）を利用するグロメット保護部材も存在する。
【０１５７】
このようなグロメット保護部材には、グロメットの２つの貫通孔に挿入可能な２つの突起が形成されている。グロメット保護部材に形成された２つの突起の各々に、対応する貫通孔を挿入するようにして、グロメットをグロメット保護部材に取り付ける。すなわち、このような、グロメット保護部材には、一定の大きさ及び形状を有する２つの突起が予め形成されている。
【０１５８】
グロメットアセンブリは、各種の車両やドアに応じて仕様が定められている。したがって、車両やドアの変更によって、グロメットアセンブリの仕様も変更せざるを得ない場合がある。たとえば、グロメットアセンブリの２つの貫通孔の穴の大きさや２つの穴の間隔を変更した場合には、グロメットアセンブリのみならず、グロメット保護部材も変更する必要が生ずる。
【０１５９】
また、貫通孔の各種の大きさに対応できるように、グロメット保護部材の２つの突起を予め細く形成しておくことも可能である。しかしながら、大きい貫通孔に細い突起を挿入した場合には、貫通孔と突起との間のクリアランスが大きくなりすぎ、グロメットアセンブリを一定の位置に保持することが困難になり得る。
【０１６０】
本実施の形態によるグロメットアセンブリ１００及びグロメット保護部材２００では、ドアパネルＰの収納空間Ｓに位置づけられるように、第１の突起１９４及び第２の突起１９６をグロメットアセンブリ１００に形成した。このため、グロメットアセンブリ１００に仕様変更が生じた場合でも、第１の突起１９４及び第２の突起１９６の大きさや位置にまでは変更が生じにくい。したがって、グロメット保護部材２００の変更にまで至りにくくできる。
【０１６１】
このように、本実施の形態によるグロメットアセンブリ１００及びグロメット保護部材２００は、グロメットアセンブリ１００の状態を適切に維持できることができるグロメット保護部材２００であるとともに、グロメット保護部材２００の汎用性を高めることができる。グロメット保護部材２００の汎用性があるので、グロメット保護部材２００への影響を考慮せずにグロメットアセンブリ１００の製品開発を容易にすることができるともに、生産コストを低下させることができる。
【０１６２】
＜＜＜変形例＞＞＞
上述した４つの係止孔２４０、２４２、２４４、２４６は、大小の直径を有し断面が円形の貫通孔である。第１の係止孔２４０及び第４の係止孔２４６の直径は、内側に形成された第２の係止孔２４２及び第３の係止孔２４４の直径よりも大きく形成されている。第１の脚部２１４には、直径が大きい第１の係止孔２４０及び直径が小さい第２の係止孔２４２が形成され、第２の脚部２１６には、直径が小さい第３の係止孔２４４及び直径が大きい第４の係止孔２４６が形成されている。
【０１６３】
第２の脚部２１６に形成されている直径が大きい第４の係止孔２４６と、第２の脚部２１６から離隔した第１の脚部２１４に形成されている直径が小さい第２の係止孔２４２との対は、右側用のグロメットアセンブリ１００をグロメット保護部材２００に取り付けるための係止孔の対である。第２の脚部２１６に形成されている第４の係止孔２４６に、右側用のグロメットアセンブリ１００の第１の突起１９４を挿入し、第１の脚部２１４に形成されている第２の係止孔２４２に、右側用のグロメットアセンブリ１００の第２の突起１９６を挿入することで、右側用のグロメットアセンブリ１００をグロメット保護部材２００に取り付けることができる。
【０１６４】
第２の係止孔２４２は、第１の脚部２１４に形成され、第４の係止孔２４６は、第１の脚部２１４から離隔した第２の脚部２１６に形成されている。このように、互いに離隔した位置の第２の係止孔２４２及び第４の係止孔２４６を用いることで、右側用のグロメットアセンブリ１００をグロメット保護部材２００に安定して保持することができる。また、直径が大きい第４の係止孔２４６と直径が小さい第２の係止孔２４２との対を用いることによって、右側用のグロメットアセンブリ１００用の係止孔の対であることを示す。すなわち、直径が大きい第４の係止孔２４６と直径が小さい第２の係止孔２４２との対は、右側用のグロメットアセンブリ１００用の係止孔の対であることを示す識別情報を有する。
【０１６５】
このように、第２の脚部２１６に形成されている直径が大きい第４の係止孔２４６と、第２の脚部２１６から離隔した第１の脚部２１４に形成されている直径が小さい第２の係止孔２４２との対は、右側用のグロメットアセンブリ１００をグロメット保護部材２００に安定して保持するとともに、右側用のグロメットアセンブリ１００用の識別情報を有する。
【０１６６】
同様に、第１の脚部２１４に形成されている直径が大きい第１の係止孔２４０と、第１の脚部２１４から離隔した第２の脚部２１６に形成されている直径が小さい第３の係止孔２４４との対は、左側用のグロメットアセンブリ１００をグロメット保護部材２００に安定して保持するとともに、左側用のグロメットアセンブリ１００用の識別情報を有する。
【０１６７】
このように、４つの係止孔２４０、２４２、２４４、２４６は、グロメットアセンブリ１００をグロメット保護部材２００に安定して保持させるとともに、グロメットアセンブリ１００を識別する。断面が円形の貫通孔に限られず、グロメットアセンブリ１００をグロメット保護部材２００に安定して保持させ、かつ、識別できるものであれば、他の形状の貫通孔や他の位置に形成された貫通孔でもよい。すなわち、係止孔の形態によって、グロメットアセンブリ１００をグロメット保護部材２００に安定して保持させ、かつ、グロメットアセンブリ１００の種類を識別できればよい。
【０１６８】
図１４（ａ）〜（ｄ）に他の貫通孔の例を示す。図１４（ａ）は、断面が円形の４つの係止孔３４０ａ、３４２ａ、３４４ａ、３４６ａを示す。外側に形成された第１の係止孔３４０ａ及び第４の係止孔３４６ａの直径が、内側に形成された第２の係止孔３４２ａ及び第３の係止孔３４４ａの直径よりも小さい。すなわち、上述した４つの係止孔２４０〜２４６の大小の関係が逆になっている。このような４つの係止孔３４０ａ、３４２ａ、３４４ａ、３４６ａでも、グロメットアセンブリ１００をグロメット保護部材２００に安定して保持させ、かつ、グロメットアセンブリ１００を識別することができる。なお、グロメットアセンブリ１００には、係止孔３４０ａ、３４２ａ、３４４ａ、３４６ａに対応する第１の突起及び第２の突起（図示せず）が形成されている。
【０１６９】
図１４（ｂ）は、断面が円形で直径が同じ大きさの４つの係止孔３４０ｂ、３４２ｂ、３４４ｂ、３４６ｂを示す。２つの係止孔３４０ｂ及び３４２ｂの間隔が、２つの係止孔３４４ｂ及び３４６ｂの間隔よりも短い。このような４つの係止孔３４０ｂ、３４２ｂ、３４４ｂ、３４６ｂでも、グロメットアセンブリ１００をグロメット保護部材２００に安定して保持させ、かつ、グロメットアセンブリ１００を識別することができる。なお、グロメットアセンブリ１００には、係止孔３４０ｂ、３４２ｂ、３４４ｂ、３４６ｂに対応する第１の突起及び第２の突起（図示せず）が形成されている。
【０１７０】
図１４（ｃ）は、断面が円形と四角形の４つの係止孔３４０ｃ、３４２ｃ、３４４ｃ、３４６ｃを示す。外側に形成された第１の係止孔３４０ｃ及び第４の係止孔３４６ｃは、断面が四角形であり、内側に形成された第２の係止孔３４２ｃ及び第３の係止孔３４４ｃは、断面が円形である。このような４つの係止孔３４０ｃ、３４２ｃ、３４４ｃ、３４６ｃでも、グロメットアセンブリ１００をグロメット保護部材２００に安定して保持させ、かつ、グロメットアセンブリ１００を識別することができる。なお、グロメットアセンブリ１００には、係止孔３４０ｃ、３４２ｃ、３４４ｃ、３４６ｃに対応する第１の突起及び第２の突起（図示せず）が形成されている。
【０１７１】
図１４（ｄ）は、断面が円形で直径が同じ大きさの４つの係止孔３４０ｄ、３４２ｄ、３４４ｄ、３４６ｄを示す。２つの係止孔３４０ｄ及び３４２ｄは、縦方向に並んで配置され、２つの係止孔３４４ｄ及び３４６ｄは、横方向に並んで配置される。このような４つの係止孔３４０ｄ、３４２ｄ、３４４ｄ、３４６ｄでも、グロメットアセンブリ１００をグロメット保護部材２００に安定して保持させ、かつ、グロメットアセンブリ１００を識別することができる。なお、グロメットアセンブリ１００には、係止孔３４０ｄ、３４２ｄ、３４４ｄ、３４６ｄに対応する第１の突起及び第２の突起（図示せず）が形成されている。
【０１７２】
以上から、たとえば、グロメット保護部材は、
グロメットを有し被取付体に取付けることができる第１の種類のグロメットアセンブリと第２の種類のグロメットアセンブリとを選択的に取り付けられるグロメット保護部材であって、
第１の脚部と、
前記第１の脚部から離隔した第２脚部と、を備え、
第１の種類のグロメットアセンブリ及び第２の種類のグロメットアセンブリの各々は、第１の係合部と前記第１の係合部から離隔した第２の係合部とを有し、
グロメット保護部材の第１の脚部は、第１の係合部と係合できる複数の第１の被係合部を有し、
グロメット保護部材の第２の脚部は、第２の係合部と係合できる複数の第２の被係合部を有し、
第１の種類のグロメットアセンブリの第１の係合部及び第２の係合部は、第１の種類のグロメットアセンブリであることを示す第１の識別情報を有し、
第２の種類のグロメットアセンブリの第１の係合部及び第２の係合部は、第２の種類のグロメットアセンブリであることを示す第２の識別情報を有し、
前記複数の第１の被係合部と前記複数の第２の被係合部とのうちの第１の被係合対は、前記第１の識別情報に対応する第１の被識別情報を有し、
前記複数の第１の被係合部と前記複数の第２の被係合部とのうちの第２の被係合対は、前記第２の識別情報に対応する第２の被識別情報を有するグロメット保護部材、とすることができる。
【０１７３】
このようにすることで、第１の種類のグロメットアセンブリと第２の種類のグロメットアセンブリをグロメット保護部材に安定して保持させ、かつ、第１の種類のグロメットアセンブリと第２の種類のグロメットアセンブリを識別することができる。
【符号の説明】
【０１７４】
１００  グロメットアセンブリ
１９４  第１の突起
１９６  第２の突起
２００  グロメット保護部材
２４０、２４２、２４４、２４６  係止孔
【図１】
2015107016.tif 000003
【図２】
2015107016.tif 000004
【図３】
2015107016.tif 000005
【図４】
2015107016.tif 000006
【図５】
2015107016.tif 000007
【図６】
2015107016.tif 000008
【図７】
2015107016.tif 000009
【図８】
2015107016.tif 000010
【図９】
2015107016.tif 000011
【図１０】
2015107016.tif 000012
【図１１】
2015107016.tif 000013
【図１２】
2015107016.tif 000014
【図１３】
2015107016.tif 000015
【図１４】
2015107016.tif 000016